(57)【要約】【課題】既に設置されている自動販売機への付け外しを可能とし、十分な庇機能を有する利便性の高い自動販売機の庇装置を提供する。【解決手段】自動販売機１０の天井面に対して後付けで装着されるケーシング２を備え、このケーシング２に、ケーシング２から前方に突出して自動販売機１０の前面空間を上方から被う作用位置とこの作用位置から後退してケーシング２内に収まる収容位置とに移動自在に設けられた庇部材３，４を備えていることを特徴とする自動販売機の庇装置１。【選択図】　　　図１
2004038315.tif 000002
【特許請求の範囲】
【請求項１】
自動販売機の天井面に対して後付けで装着されるケーシングを備え、このケーシングに、ケーシングから前方に突出して自動販売機の前面空間を上方から被う作用位置とこの作用位置から後退してケーシング内に収まる収容位置とに移動自在に設けられた庇部材を備えていることを特徴とする自動販売機の庇装置。
【請求項２】
前記庇部材が、左右方向に傾斜して設けられていることを特徴とする請求項１に記載の自動販売機の庇装置。
【請求項３】
前記庇部材が、自動販売機の前面扉の開き側が低位とるように左右方向に傾斜して設けられていることを特徴とする請求項１に記載の自動販売機の庇装置。
【請求項４】
前記庇部材の先端縁に上方に突出する止水壁が設けられていることを特徴とする請求項１から３のいずれかに記載の自動販売機の庇装置。
【請求項５】
前記止水壁が、庇部材の収容方向への移動を規制するストッパを兼ねていることを特徴とする請求項４に記載の自動販売機の庇装置。
【請求項６】
前記庇部材の左右側縁に上方に突出する止水壁が設けられていることを特徴とする請求項１から５のいずれかに記載の自動販売機の庇装置。
【請求項７】
前記庇部材が自動販売機の前面扉の開き側が低位となるように左右方向に傾斜して設けられ、前記庇部材の先端縁に上方に突出する止水壁が設けられ、前記庇部材の左右側縁に上方に突出する止水壁が形成され、低位側の左右側縁に形成された止水壁には水抜き孔が形成されていることを特徴とする請求項１に記載の自動販売機の庇装置。
【請求項８】
前記庇部材は、複数枚の板状部材によって構成され、各板状部材は、収容位置ではケーシング内に重ね合わされて収容され、作用位置では、前後方向に相互に位置がずらされた状態でケーシングから突出されることを特徴とする請求項１から７のいずれかに記載の自動販売機の庇装置。
【請求項９】
前記ケーシングが、前記自動販売機の前面扉に設けられたヒンジの上部を被うように、前記自動販売機の天井面に載置されていることを特徴とする請求項１から８のいずれかに記載の自動販売機の庇装置。
【発明の詳細な説明】
【０００１】
【発明の属する技術分野】
本発明は、飲料水やタバコ、スナック菓子等の自動販売機に使用する自動販売機用の庇装置に関するものである。
【０００２】
【従来の技術】
自動販売機においては、自動販売機への商品の補充や内部の点検、整備をする際には、自動販売機の前面扉を開放して作業を行っていた。このため、降雨時においては、作業者はレインコート等を着用しながら作業を行うので作業効率が悪い上に、前面扉が開放されているので庫内の商品や機器に雨水がかかってしまい、その水滴によって、特に庫内のタバコ等の商品の品質が劣化したり、電子機器の故障の原因ともなっていた。
【０００３】
そのために、実開平６−１９０８３号公報に記載の自動販売機の外装ケースでは降雨時に庫内の商品等を雨水から守れる外装ケースとして、庇が出し入れ自在とされたものが提案されている。同様に特開２０００−１７２９２８号公報には、外扉の開放に連動して自動的に自動販売機の前方上方に屋根を張り出すものが提案されている。
【０００４】
【発明が解決しようとする課題】
しかしながら、上記公報に記載の自動販売機の外装ケース等は、庇とこの庇の周辺機器は自動販売機の外装ケースに一体として構成されているものであり、自動販売機の製造時に同時に製作されるので、自動販売機のコストアップとなる。また、既存の庇が付いていない自動販売機に、庇装置と自動販売機が一体となっている従来技術を適用することはできない。これらの機器のメンテナンス時や故障が発生した場合においても、取り外すことはできないので作業がめんどうであった。庇部材の上に降り落ちた雨は前方や左右側方へ流れ、作業者が庇の内外へ出入りする時に濡れてしまったり前面扉内側の機器を濡らすので故障の原因ともなる。
【０００５】
さらに、これらの庇は一枚で構成されているので、前面へ張り出す寸法は最大でも自動販売機の奥行き長さとなっていた。そのため、近年の自動販売機の薄型化にともない庇としての機能が十分でないという問題もあった。
本発明は以上のような事情に鑑みてなされたものであり、自動販売機の天井面に庇を有する庇装置を後付けできるようにして、既に設置されている自動販売機への適用を可能とし、十分な庇機能を有する利便性の高い自動販売機の庇装置を提供することを目的とする。
【０００６】
【課題を解決するための手段】
本発明は上記目的を達成するために次の手段を講じた。
すなわち本発明は、自動販売機の天井面に対して後付けで装着されるケーシングを備え、このケーシングに、ケーシングから前方に突出して自動販売機の前面空間を上方から被う作用位置とこの作用位置から後退してケーシング内に収まる収容位置とに移動自在に設けられた庇部材を備えていることを特徴とする。
自動販売機の前方と収納位置へ移動可能な庇部材を備えた庇装置とすることで、自動販売機の前面扉を開けた状態において、自動販売機の前方が庇部材で被われるので庫内の商品や機器が水滴で濡れてしなうことがないし、作業者の作業もし易くなる。また、自動販売機とは別個の庇装置とされているので、設置済みの自動販売機に取り付けることができる。
【０００７】
前記庇部材が、左右方向に傾斜して設けられていることを特徴とする。
庇部材を左右方向に傾けることによって左右方向にのみ雨水が流れることになり、雨水が自動販売機の前方へ流れ落ちるのを防ぐことができる。本発明では、庇部材の左右の傾斜を前面扉の開き側が高位となるように設けることができる。この場合、正面あるいは側方のどちらからも、庇部材の内外へ出入りする場合に庇から流れ落ちてきた雨水で濡れてしまうことを防止できる。また、逆に庇部材を自動販売機の前面扉の開き側が低位となるようにしてもよい、この場合は、自動販売機の前面扉に取り付けられている電子機器等を濡らすことが少なく故障を防止できる。
【０００８】
前記庇部材が、自動販売機の前面扉の開き側が低位となるように左右方向に傾斜して設けられていることを特徴とする。
前面扉の裏側には電子機器が取り付けられており、自動販売機の前面扉を開けた状態では、雨水で濡れると故障の原因となる。このため庇部材の左右方向への傾きを、開けた前面扉とは逆の方向にすることで開けた前面扉とは反対側へ雨水が流れ落ち、前面扉が濡れてしまうのを防止できる。
前記庇部材の先端縁に上方に突出する止水壁が設けられていることを特徴とする。
【０００９】
庇部材の先端縁に止水壁を設けることによって、雨水が前方へ流れ落ちるのを防ぐことができる。
庇部材の先端縁に設けられた前記止水壁が、庇部材の収容方向への移動を規制するストッパを兼ねていることを特徴とする。
庇部材の先端に形成された止水壁は上方に突出されているので、これをストッパーとすることで庇部材がケーシング内へ入り込んでしまうのを防止できる。
前記庇部材の左右側縁に上方に突出する止水壁が設けられていることを特徴とする。
【００１０】
庇部材の左右側縁に設けられた止水壁によって、庇部材の横方向へ雨水が流れ落ちるのを防止することができる。
前記庇部材が自動販売機の前面扉の開き側が低位となるように左右方向に傾斜して設けられ、前記庇部材の先端縁に上方に突出する止水壁が設けられ、前記庇部材の左右側縁に上方に突出する止水壁が形成され、低位側の左右側縁に形成された止水壁には水抜き孔が形成されていることを特徴とする。
自動販売機の前面扉の開き側を低位とする庇部材を設け、その庇部材の先端縁に止水壁を設け、前記庇部材の低位側に設けた止水壁に水抜き孔を形成することによって、開けられた自動販売機の前面扉とは逆の方へ雨水が流れ落ちることになり、雨水で前面扉やその内部機器が濡れてしまうことを防止することができる。
【００１１】
前記庇部材は、複数枚の板状部材によって構成され、各板状部材は、収容位置ではケーシング内に重ね合わされて収容され、作用位置では、前後方向に相互に位置がずらされた状態でケーシングから突出されることを特徴とする。
例えば、庇部材をケーシング内に２枚重ねて設け、これらの庇部材を前後方向に互いに位置がずれるようにケーシングから突出させることによって、ケーシングの縦方向（奥行き）の長さのほぼ２倍の庇部材の突出長さを確保することができる。また、さらに多くの庇部材を重ねて設けることによっても、より大きな突出長さの確保が可能となる。
【００１２】
前記ケーシングが、前記自動販売機の前面扉に設けられたヒンジの上部を被うように、前記自動販売機の天井面に載置されていることを特徴とする。
ヒンジの上部を被うことで、盗難等の目的によるヒンジの破壊が困難となるので、自動販売機の前面扉が取り外されるのを防止することができる。
【００１３】
【発明の実施の形態】
以下、本発明の実施の形態を図面に基づき説明する。
図１から図５は本発明の実施形態にかかる自動販売機１０の庇装置（以下庇装置とする）１である。図１は、この庇装置１を自動販売機１０に取り付けた状態を示す斜視図であり、庇装置１はケーシング２と第１庇部材３と第２庇部材４とからなり、ケーシング２は平面視矩形状の天板と、この天板の周縁から下方向へ延びるように形成される周壁とを有し第１庇部材３と第２庇部材４を収納できるようになっている。さらに、このケーシング２には前記周壁の下端部から内方向に折れ曲がるように自動販売機１０の天井面への載置面２２が形成されており、庇装置１を自動販売機１０に取り付けた時に、自動販売機１０の天井面の損傷を防止できるようになっている。
【００１４】
また、図３に示すようにケーシング２前面の周壁には、第１、第２庇部材３，４を出し入れするための引出口６が図３の向かって左側が低位となるように傾斜形成されており、第１、第２庇部材３，４も引出口６に沿って左右に傾斜している。ケーシング２の内部両側には、第２庇部材４をスライドさせるための断面視コの字型の案内レール５が形成されている。さらにこのケーシング２の背面には、庇装置１を自動販売機１０に取り付けるための取り付け部材７が固定されている。
【００１５】
図２に示すように、第１庇部材３は平面視矩形状の板材で形成されており、庇部の周囲を取り囲むようにして、第１庇部材３の前後面及び側面には止水壁１７，１８、１９が形成されている。前面止水壁１７は上方に突出するようにして形成され、側面及び後面止水壁１８、１９は上方に突出し、さらに内側に折れ曲がるようにして形成されている。この前面止水壁１７は第１庇部材３をケーシング２へ収納する際にケーシング２の前面に当接して、中へ入り込んでしまわないようにするためのストッパを兼ねているため、この前面止水壁１７は側面止水壁１８よりも高く形成されている。
【００１６】
さらに、図４で示すように低位となる側面止水壁１８には複数の水抜き孔１６が形成され、庇部材の上に雨水が溜まらないようにされている。また、前記第１庇部材３の前面止水壁１７の外側には取手８が設けられ、この取手８を介して第１、第２庇部材３，４を引き出すことができ、第１庇部材３全面とケーシング２との間には留め具９が取り付けられ、この留め具９によって第１、第２庇部材３，４を収納した状態で固定できるようにされている。
同じく第２庇部材４は平面視矩形状の板材で形成されており、この第２庇部材４の側面及び後面には止水壁１８、１９が形成されている。これらの止水壁１８，１９は上方に突出し、さらに内側に折れ曲がるようにして形成されている。さらに、図３で示すように低位となる側面止水壁１８には複数の水抜き孔１６が形成され、庇の雨水が溜まらないようにされている。この第２庇部材４の側面止水壁１８は、図５に示すように同時に第１庇部材３をスライドさせる案内レールも兼ねており、この第２庇部材４の側面止水壁１８の内側面に沿って第１庇部材３の側面止水壁１８の外側面が摺動するようになっている。また、第２庇部材４の庇部上にはリブ２０が取り付けられており、このリブ２０の上で第１庇部材３が摺動するようになっている。
【００１７】
なお、本実施形態では前記各止水壁１７，１８，１９は板材からなる庇部の端部を折り曲げて形成しているが、別体の止水壁を庇部に取り付けてもよい。
また、図２に示すように第２庇部材４の両側先端部にはストッパー１４が取り付けられており、第１庇部材３の後面止水壁１９とこのストッパー１４が引っ掛かるようになっており、第２庇部材４から第１庇部材３が抜けるのを防ぐようにされている。第２庇部材４の後方にも断面視Ｌ字型のストッパー１５が第２庇部材４の後面止水壁１９に取り付けられており、第２庇部材４を前方に移動させた際に、このストッパー１５の先端部がケーシング２の内側面に引っ掛かることで、第２庇部材がケーシング２から外れてしまうのを防いでいる。
【００１８】
庇装置１は取り付け部材７をねじによって自動販売機１０の天井面に固定することで取り付けられる。そして、作業者が商品等の補充をする前に庇装置１から庇部材３，４を自動販売機１０の前方へ突出させ作業を行う。
まず、第１庇部材３の取手８を引いて前方へスライドさせ、所定長さだけ第１庇部材３がケーシング２から突出すると、ストッパー１４が引っ掛かる。ここからさらに前方に引き出すと、第２庇部材４がケーシング２から突出され、このまま引き続けるとストッパー１５によって、第１、第２庇部材３，４の移動が止められる。この際、図４に示すように、第１庇部材３と第２庇部材４を作用位置へ最大限に突出させた状態となっており、それぞれの庇部材の前後長さがケーシング２の前後長さとほぼ同じ長さに形成されているので、ケーシング２の前後長さのほぼ２倍の長さの庇長さを確保できるようになっている。
【００１９】
このために、前面扉１１を開けた状態でも自動販売機１０の庫内の商品が雨水で濡れてしまうことを防ぐことができるし、傘等を使用する必要がないので作業もし易くなる。また、この庇装置１は自動販売機１０とは別体とされているので、設置済みの自動販売機１０に取り付けることができるし、メンテナンスも容易である。
一方、自動販売機１０の前面扉１１を開けた側（ヒンジ１３の反対側）が低位となるように第１、第２庇部材３，４が傾斜されおり、雨水はその低位側へ流れていくので、雨水によって前面扉１１に取り付けられた電子機器等が濡れるのを防止することができる。また、第１庇部材３の前面には前面止水壁１７が形成されおり、溜まった雨水が前方へ流れてくることがないので作業者が雨水で濡れるのを防ぐことができる。さらに、第１、第２庇部材３、４の低位側、即ち左側の側面止水壁１８には図４に示すように複数の水抜き孔１６が形成されている。この水抜き孔１６から、溜まった雨水が抜けていくので低位側の側方以外の箇所から雨水が溢れ出すのを防ぐことができる。また、第１、第２庇部材３，４を収納位置へ収納しているときは留め具９によって、この第１、第２庇部材３，４が固定される。
【００２０】
庇装置１は、この庇装置１の前面が自動販売機１０の前面と同一面となるように自動販売機１０の天井面に載置されており、自動販売機１０の前面扉１１を開閉自在にしているヒンジ１３の上部周辺を被っているので、盗難等の目的によるヒンジ１３の破壊が困難となる。従って、自動販売機１０の前面扉１１を取り外しにくくなり、盗難防止になる。ここで、ヒンジ１３の厚みが大きい場合には、庇装置１の前部が、ヒンジ１３の上部に接触してしまい庇装置１が後側へ傾くようになってしまう。このような場合には庇装置１の下部の後部両側に適当な厚みを有するスペーサーを設けることによって、庇装置１は水平状態を保つことができる。
【００２１】
ケーシング２の前後幅は、自動販売機１０の前後幅よりも短く形成されており、庇装置１を自動販売機１０に取り付けた場合でも、この自動販売機１０の前後からはみ出さないようにされている。
第１、第２庇部材３，４をスライドし易くするため、ケーシング２内にローラーを設けることもできる。具体的には、庇装置１の引出口６近傍の両側で、第１庇部材３と第２庇部材４との間や、第２庇部材４とケーシング２の下板との間に回転自在とされたローラーを設けることによって、摺動抵抗を少なくして庇部材の出し入れをし易くする。ローラーの設置個所や大きさ、個数は、庇部材等の仕様によって適宜変更することができる。また、この場合庇部材の左右中央部がたわんで引出口６の下縁がこすれるのを防止するため、摩擦抵抗を小さくするとともに、たわみを防止するために下縁に樹脂等の受け部材を設けてもよい。
【００２２】
また、図６に示すように、ケーシング２内にロック機構２１を設けることができる。このロック機構２１は、第１、第２庇部材３，４を錠２３によってケーシング２内へ収納した状態でロックするものであり、ケーシング２の外部からは操作できないようになっている。錠２３は、ケーシング２の前面の内側にステー等を介してねじによって固定される。この錠２３は、この錠２３に内装されているロック棒２４を上下することにより、第１、第２庇部材３，４に形成した孔に前記ロック棒を挿脱し、第１、第２庇部材３，４をケーシング２に対してロックしたり、解除したりするものである。錠２の中央部には、その上部に切り欠きが設けられた縦長の開口部が形成されており、この開口部にロック棒２４の突起部２５が挿通されている。ロック状態を保つ場合は、この突起部２５を切り欠きを利用して横方向に倒すようにする。解除する場合は、この突起部２５を元の状態に戻してから下へ下げるようにする。
【００２３】
ケーシング２の前面は前面扉１１を閉じた状態の自動販売機１０の前面とほぼ面一となるように取り付けられているため、前面扉１１を開くとケーシング２の前部が自動販売機１０の本体１２部分よりも前方に突出する。この突出した部分２Ａの内側にロック機構２１が設けられているので、前面扉１１を閉じた状態ではロック機構２１が隠れ、前面扉１１を開いた状態ではケーシング２が下側に開放されてロック機構２１の錠２３を操作できるようになる。
このようなロック機構２１を採用することにより、自動販売機の１０の前面扉１１を閉めた状態では、錠２３を全く操作することができず、防犯上ひじょうに有効となる。さらに、このロック機構２１はキーを使用するものではないので、余分にキーを持つ必要がなく便利である。
【００２４】
上記の実施形態では庇部材を２枚設けたが、庇部材を１枚としたり３枚あるいはそれ以上の枚数を設けることによって、前方への突出長さを変更することができ、板状であるので収納したときの厚さを可及的に薄くすることができる。また、庇の形状は上記の実施形態に限られるものではなく、自動販売機１０の形態に応じて各種の形状に形成することもでき、例えばロールブラインド式にすることもできる。さらに、上記の実施形態では右開きの自動販売機１０に適応させているが、左開きの自動販売機１０に適応させることもできる。
【００２５】
本発明にかかる実施の形態は以上のとおりであるが、種々の実施形態に応じた設計変更は可能である。
【００２６】
【発明の効果】
自動販売機の天井面に後付けできる庇部材を有する庇装置としているので、既に設置されている自動販売機への適応を可能とし利便性が高く、自動販売機の庫内の商品等の品質の低下や機器の故障を抑え十分な庇機能を有するものとできる。
庇部材が左右方向に傾斜して設けられることにより、作業者が自動販売機の正面から庇の内外を出入りする場合に濡れにくくなるので作業がし易い。
【００２７】
自動販売機の前面扉の開き側が低位となるように庇部材が左右に傾斜されることにより、作業者が自動販売機の正面から庇の内外を出入りする場合に濡れにくい上に、作業がし易く前面扉やその中の機器等が濡れにくくなり、故障等を防ぐことができる。
庇部材の先端縁に上方に突出する止水壁が設けられることにより、作業者がほとんど濡れずに庇の内外を出入りできるので作業がし易く、庇部材を出し入れするときに水が飛び散りにくくなる。
【００２８】
前記止水壁が、庇部材の収容方向への移動を規制するストッパを兼ねていることにより、ケーシングの中へ庇部材が入り込んでしまわないので収納し易く、止水壁とストッパの兼用により、構造の簡素化、コストダウンを図ることができる。
庇部材の左右側縁に上方に突出する止水壁が設けられていることにより、庇部材の横方向から雨水が流れ落ちることが少なくなるので、自動販売機の前面扉の中の機器の故障等を防ぐことができる。
【００２９】
庇部材が前面扉の開き側が低位となるように左右に傾斜して設けられ、先端縁及び左右側縁に上方に突出する止水壁が形成され、低位側の止水壁には水抜き孔が形成されていることにより、作業者が自動販売機の正面から庇の内外を出入りする場合に濡れにくくなるので作業がし易く、雨水が庇部に溜まらないし、前面扉に落下した雨水で前面扉やその中の機器等が濡れにくくなるので、故障等を防ぐことができる。
庇部材が複数枚の板状部材で構成されケーシング内では重ね合わされ、前方に突出された位置では前後方向に相互にずらされた状態とされていることにより、長い庇を確保することができるので作業者が雨に濡れにくいし、庇装置をコンパクトにできるのでケーシングを前後に短くしても、薄型の自動販売機に適することができるので便利である。
【００３０】
庇装置が自動販売機のヒンジの上部を被うようにして、自動販売機に載置されることにより、前面扉のヒンジを破壊しにくくなるので盗難の防止になる。
【図面の簡単な説明】
【図１】本発明にかかる庇装置の一実施形態の使用状態を示す斜視図である。
【図２】庇装置の平面図と庇部材の展開図である。
【図３】庇装置の正面図である。
【図４】庇装置の左側面図である。
【図５】図２におけるＡ−Ａ線断面図である。
【図６】庇部材のロック機構を示す正面図である。
【符号の説明】
１　　庇装置
２　　ケーシング
３　　第１庇部材
４　　第２庇部材
５　　案内レール
１３　ヒンジ
１６　水抜き孔
１７　前面止水壁
１８　側面止水壁
【図１】
2004038315.tif 000003
【図２】
2004038315.tif 000004
【図３】
2004038315.tif 000005
【図４】
2004038315.tif 000006
【図５】
2004038315.tif 000007
【図６】
2004038315.tif 000008